(57)【要約】【課題】この発明はベッド本体の内部空間に収納ケースを設けて有効に利用できるようにしたベッド装置を提供することにある。【解決手段】幅方向の一側面が開口し内部を収容部１７，１８とするとともに上面にマットレス１３が載置されるベッド本１体と、収容部の両側にベッド本体の幅方向に沿って設けられたガイド部材１９と、ガイド部材に下面を移動可能に係合させて収容部にベッド本体の幅方向に沿って順次出し入れ可能に収納された第１の収納ケース２１及び第２の収納ケース２２と、収容部の手前側に収容された第１の収納ケースの後端部と奥側に収納された第２の収納ケースの前端部を着脱可能に連結し収容部から第１の収納ケースを引き出したときに第２の収納ケースを連動させる第１、第２の連結具２４，２５を具備する。【選択図】      図１
2006230750.tif 000002
【特許請求の範囲】
【請求項１】
幅方向の一側面が開口し内部を収容部とするとともに上面にマットレスが載置されるベッド本体と、
上記収容部の両側に上記ベッド本体の幅方向に沿って設けられたガイド部材と、
このガイド部材に下面を移動可能に係合させて上記収容部に上記ベッド本体の幅方向に沿って順次出し入れ可能に収納された第１の収納ケース及び第２の収納ケースと、
上記収容部の手前側に収容された第１の収納ケースの後端部と奥側に収納された第２の収納ケースの前端部を着脱可能に連結し上記収容部から第１の収納ケースを引き出したときに上記第２の収納ケースを連動させる連結手段と
を具備したことを特徴とするベッド装置。
【請求項２】
上記収納部には、第１、第２の収納ケースが上下方向にがたつくのを規制する規制部材が設けられていることを特徴とする請求項１記載のベッド装置。
【発明の詳細な説明】
【技術分野】
【０００１】
この発明はベッド本体の内部を収納ケースが出し入れ可能に設けられる収容部として利用するベッド装置に関する。
【背景技術】
【０００２】
一般に、ベッド装置はベッド本体を有する。このベッド本体は上面にマットレスが載置されるとともに、長手方向一端にはヘッドボード、他端にはフットボードがほぼ垂直に立設されている。
【０００３】
上記ベッド装置が占有する室内空間を有効利用するため、ベッド本体に、このベッド本体の幅方向一側面が開口した空間部を形成する。そして、この空間部に収納ケースを出し入れできるようにする。それによって、上記収納ケースに衣類などの物品を入れることで、ベッド本体が占有する室内空間の有効利用を図ることができるようにしている。
【０００４】
上記収納ケースによる収容量を拡大するためには、収納ケースのベッド本体の幅方向に沿う寸法、つまり奥行き寸法を大きくしてその容積を拡大することが要求されることになる。
【０００５】
ところで、収納ケースの容積を拡大するために、収納ケースの奥行き寸法を大きくすると、ベッド装置の側方に収納ケースを引き出すことができるだけのスペースを確保しなければならない。しかしながら、ベッド装置が設置される室内空間が十分に広くない場合、ベッド装置の側方に、奥行き寸法の大きな収納ケースを引き出すことができるスペースを確保することが困難なことがある。
【発明の開示】
【発明が解決しようとする課題】
【０００６】
そこで、上記収納ケースをベッド本体の幅方向に対して２つに分割し、手前側の収納ケースを引き出したならば、この収納ケースをたとえばベッド装置の上面などに置き、奥側の収納ケースを引き出せるようにする。それによって、ベッド本体の側方に、このベッド本体の幅寸法と同等のスペースを確保することができなくても、収容部から収容ケースを引き出すことが可能となる。
【０００７】
ところで、ベッド本体の収納部に、ベッド本体の幅方向に対して２つの収納ケースを収容した場合、手前側の収納ケースはそのケースの前端に手を掛けて比較的容易に引き出すことができる。しかしながら、奥側の収納ケースは前端がベッド本体の幅方向の内方、たとえば中央部分に位置することになる。そのため、奥側の収納ケースには容易に手を掛けることができないから、使い勝手が悪いということがあった。
【０００８】
この発明は、ベッド本体の幅方向に２つの収納ケースを設けた場合、手前側の収納ケースを引き出した後で、奥側の収納ケースを容易に引き出すことができるようにしたベッド装置を提供することにある。
【課題を解決するための手段】
【０００９】
この発明は、幅方向の一側面が開口し内部を収容部とするとともに上面にマットレスが載置されるベッド本体と、
上記収容部の両側に上記ベッド本体の幅方向に沿って設けられたガイド部材と、
このガイド部材に下面を移動可能に係合させて上記収容部に上記ベッド本体の幅方向に沿って順次出し入れ可能に収納された第１の収納ケース及び第２の収納ケースと、
上記収容部の手前側に収容された第１の収納ケースの後端部と奥側に収納された第２の収納ケースの前端部を着脱可能に連結し上記収容部から第１の収納ケースを引き出したときに上記第２の収納ケースを連動させる連結手段と
を具備したことを特徴とするベッド装置にある。
【００１０】
上記収納部には、第１、第２の収納ケースが上下方向にがたつくのを規制する規制部材が設けられていることが好ましい。
【発明の効果】
【００１１】
この発明によれば、収納部の手前側に位置する第１の収納ケースを引き出せば、この第１の収納ケースに第２の収納ケースが連動するから、収納部の奥側の第２の収納ケースを容易に引き出すことが可能となる。
【発明を実施するための最良の形態】
【００１２】
以下、この発明の一実施の形態を図面を参照しながら説明する。  
図１はこの発明のベッド装置の分解斜視図であって、このベッド装置はベッド本体１を備えている。このベッド本体１はヘッドボード２を有する。このヘッドボード２の幅方向一端には第１のサイドフレーム３の長手方向一端が着脱可能に連結される。すなわち、第１のサイドフレーム３の長手方向両端にはそれぞれ平面形状がＬ字状の連結金具４の一辺が取り付け固定されていて、長手方向一端に設けられた連結金具４の他辺が上記ヘッドボード２の幅方向一端の内面にねじ５によって着脱可能に取付け固定されている。
【００１３】
上記第１のサイドフレーム３の長手方向他端に設けられた連結金具４の他辺は、フットボード６の幅方向一端の内面にねじ５によって着脱可能に取付け固定されている。上記ヘッドボード２とフットボード６との幅方向の他端には、上記第１のサイドフレーム３に比べて高さ寸法の小さな第２のサイドフレーム７の一端と他端とが着脱可能に取付け固定されている。
【００１４】
つまり、第２のサイドフレーム７の長手方向一端と他端とには、第１のサイドフレーム３と同様、断面Ｌ字状の連結金具４の一辺が取り付け固定されていて、これら連結金具４の他辺が上記ヘッドボード２及びフットボード６の幅方向他端の内面にねじ５によって着脱可能に取付け固定されている。それによって、ベッド本体１の幅方向一側面の上記ヘッドボード２とフットボード６との間には、長手方向全長にわたる開口部８が上記第２のサイドフレーム７の下方に開口形成される。
【００１５】
上記第１のサイドフレーム３と第２のサイドフレーム７との内面には、図４に示すように長手方向ほぼ全長にわたって受け桟１１が設けられている。これら受け桟１１にはベッド本体１の長手方向中途部で分割された第１の床板１２ａと第２の床板１２ｂとが幅方向の両端部を係合させて架設されている。これら床板１２ａ，１２ｂの上面にはマットレス１３が載置される。
【００１６】
上記第１のサイドフレーム３と第２のサイドフレーム７との長手方向中途部にはセンタボード１４が幅方向に沿って設けられている。このセンタボード１４上端面の長手方向両端部は、各サイドフレーム３，７に設けられた受け桟１１の下面に位置し、この受け桟１１にねじ１５によって連結固定される。
【００１７】
ベッド本体１の長手方向中途部にセンタボード１４を設けることで、このベッド本体１の第１、第２の床板１２ａ，１２ｂの下面側の空間部をヘッドボード２側の第１の収容部１７と、フットボード６側の第２の収容部１８とに隔別している。つまり、各収容部１７，１８はベッド本体１の幅方向一側に開口して形成されている。
【００１８】
上記ヘッドボード２の内面の下端部、上記フットボードの内面の下端部及び上記センタボード１４の両側面の下端部にはそれぞれ桟状のガイド部材１９がベッド本体１の幅方向ほぼ全長にわたって設けられている。
【００１９】
第１、第２の収容部１７，１８には、それぞれ上面が開口した箱型状の第１の収納ケース２１と第２の収納ケース２２とが幅方向両端部の下面を上記ガイド部材１９に移動可能に係合させて収容されている。第１の収納ケース２１は前板２１ａを有し、この前板２１ａの高さ寸法は開口部８の高さ寸法よりもわずかに大きく設定されている。それによって、第１の収納ケース２１を収容部１７，１８に収容したとき、上記前板２１ａの下端はガイド部材１９の端面に当たり、上端は規制部材２７の端面に当たって収容位置が位置決めされるようになっている。
【００２０】
図５に示すように、第１、第２の収容部１７，１８の手前側に収容される第１の収納ケース２１の後端面の上端部には、断面形状が逆Ｊ字状をなした第１の連結具２４が取り付け固定されている。第１、第２の収容部１７，１８の奥側に収容される第２の収納ケース２２の前端面の上部には断面形状がＪ字状をなした第２の連結具２５が取り付け固定されている。上記第１の連結具２４と第２の連結具２５はこの発明の連結手段を構成している。
【００２１】
上記第１の連結具２４と第２の連結具２５は着脱可能に連結される。それによって、第１、第２の収容部１７，１８にベッド本体１の幅方向に並べて収容された第１の収納ケース２１と第２の収納ケース２２は、各収容部１７，１８から一体的に引き出すことができるようになっている。
【００２２】
上記センタボード１４の両側面の上端部には、長手方向に沿って下端部に設けられたガイド部材１９と平行に桟状の規制部材２７が設けられている。規制部材２７は各収容部１７，１８に収容された第１、第２の収納ケース２１，２２の幅方向一端の上面に対してわずかな間隔を介して対向する。
【００２３】
それによって、第１、第２の収納ケース２１，２２が上下方向にがたつくのが制限されるから、各収納ケース２１，２２を円滑に出し入れすることができる。しかも、各収容部１７，１８の開口部８から第１の収納ケース２１を引き出した状態で、その前端部の上面に下方向への力を加えても、後端部が浮き上がるのを防止することができる。
【００２４】
さらに、第１の収納ケース２１を収容部１７，１８から取り出し、第２の収納ケース２２を引き出したときに前端部に下方向への力を加えたときも、この第２の収納ケース２２の後端部が浮き上がるのを防止できるようになっている。
【００２５】
このように構成されたベッド装置によれば、第１の収納ケース２１を利用する場合には、この第１の収納ケース２１の前板２１ａの下端に手を掛け、この第１の収納ケース２１を第１の収容部１７又は第２の収容部１８から引き出す。それによって、この第１の収容部１８に衣類などを収容したり、収容されたものを取り出すなどして利用することができる。
【００２６】
第２の収納ケース２２を利用する場合には、第１の収納ケース２１全体を第１の収容部１７又は第２の収容部１８から引出し、第１、第２の連結具２４，２５による第２の収納ケース２２との連結を外しながら上記第１の収納ケース２１を取り出す。
【００２７】
第２の収納ケース２２は第１の収納ケース２１を引き出したときに、この第１の収納ケース２１と連動して第１の収容部１７又は第２の収容部１８の前後方向奥側から手前側に引き出されている。そのため、第１の収納ケース２１を取り外せば、利用者は第２の収納ケース２２の前端に手を掛けることができるから、この第２の収納ケース２２を第１の収容部１７又は第２の収容部１８から引き出して利用することができる。
【００２８】
第１、第２の収納ケース２１，２２は下面の幅方向両端部をガイド部材１９に沿って移動させるようにしている。そのため、各収納ケース２１，２２を第１、第２の収容部１７，１８に出し入れ可能にするため、各収納ケース２１，２２をキャスタによって走行させるようにした場合に比べてコストを低減することができる。しかも、センタボード１４に規制部材２７を設けたので、各収納ケース２１，２２の出し入れを上下方向にがたつくようなことなく、円滑に行うことが可能となる。
【００２９】
この発明は上記一実施の形態に限定されず、たとえばベッド本体の床板の下面側の空間部を２つの収容部に隔別したが、収容部は１つであっても差し支えない。その場合、収容部の幅寸法はベッド本体の長さ寸法の半分程度或いは全長にわたる大きさであってもよく、その大きさは限定されるものでない。
【００３０】
第１の収納ケースの後端と、第２の収納ケースの前端とを連結する連結手段として逆Ｊ字状の第１の連結具とＪ字状の第２の連結具を挙げたが、連結手段としては第１の収納ケースの後板と、第２の収納ケースの前板との接触部分を逆Ｕ字状の連結具で連結するようにしてもよい。  
また、各収納ケースの上面開口に着脱可能に蓋板を設けるようにしてもよく、蓋板を設ければ、内部にほこりが入り込むのを防止できる。
【図面の簡単な説明】
【００３１】
【図１】この発明の一実施の形態を示すベッド装置の分解斜視図。
【図２】ベッド本体の一方の床板を取り外した平面図。
【図３】ベッド装置の側面図。
【図４】ベッド本体の幅方向に沿う断面図。
【図５】連結手段による第１の収容ケースと第２の収容ケースとの連結部分の拡大図。
【符号の説明】
【００３２】
１…ベッド本体、８…開口部、１３…マットレス、１７…第１の収容部、１８…第２の収容部、１９…ガイド部材、２１…第１の収納ケース、２２…第２の収納ケース、２４…第１の連結具（連結手段）、２５…第２の連結具（連結手段）、２７…規制部材。
【図１】
2006230750.tif 000003
【図２】
2006230750.tif 000004
【図３】
2006230750.tif 000005
【図４】
2006230750.tif 000006
【図５】
2006230750.tif 000007